(57)【要約】【課題】従来のものより製造コストを低減することができる移動端末試験装置を提供すること。【解決手段】移動端末試験装置は、試験対象の移動端末２と信号を送受信することで基地局を擬似する複数の擬似基地局部１０、１１と、擬似基地局部１０、１１を機能させるための複数の種別の基地局情報を格納する基地局情報格納部１３と、基地局情報を擬似基地局部１０、１１に設定する基地局情報設定部１４と、擬似基地局部１０、１１の送信状態を設定する送信状態設定部１５と、基地局情報設定部１４および送信状態設定部１５を制御することで移動端末２の試験の各工程を実行する試験工程実行部１７とを備え、基地局情報格納部１３に格納される基地局情報の種別の数を擬似基地局部１０、１１の数より多くする。【選択図】図１
2010136341.tif 000002
【特許請求の範囲】
【請求項１】
試験対象の移動端末（２）と信号を送受信することで基地局を擬似する複数の擬似基地局部（１０、１１）と、
前記擬似基地局部を機能させるための複数の種別の基地局情報を格納する基地局情報格納部（１３）と、
前記基地局情報を前記擬似基地局部に設定する基地局情報設定部（１４）と、
前記擬似基地局部の送信状態を設定する送信状態設定部（１５）と、
前記基地局情報設定部および前記送信状態設定部を制御することで前記移動端末の試験の各工程を実行する試験工程実行部（１７）と、を備え、
前記基地局情報格納部に格納される基地局情報の種別の数は、前記擬似基地局部の数より多いことを特徴とする移動端末試験装置。
【請求項２】
前記移動端末の試験の工程を表す試験工程情報を試験項目毎に格納する試験工程情報格納部（１６）を備え、
前記試験工程実行部は、前記試験工程情報に基づいて、前記基地局情報設定部および前記送信状態設定部を制御することを特徴とする請求項１に記載の移動端末試験装置。
【請求項３】
前記基地局情報には、通信規格を表す情報が含まれることを特徴とする請求項１または請求項２に記載の移動端末試験装置。
【請求項４】
前記通信規格は、ＧＳＭ規格、ＧＳＭ／ＧＰＲＳ規格、Ｗ−ＣＤＭＡ規格、ＣＤＭＡ２０００規格、ＴＤ−ＳＣＤＭＡ規格、ＬＴＥ規格、ＷｉＭＡＸ規格およびＷｉ−Ｆｉ規格を含む何れかの無線通信規格を表すことを特徴とする請求項３に記載の移動端末試験装置。
【請求項５】
前記送信状態設定部は、前記擬似基地局部の送信電力を変化させることで該擬似基地局部の送信状態を設定することを特徴とする請求項１乃至請求項４の何れかに記載の移動端末試験装置。
【請求項６】
前記送信状態設定部は、前記擬似基地局部を規制状態にするか否かを変化させることで該擬似基地局部の送信状態を設定することを特徴とする請求項１乃至請求項４の何れかに記載の移動端末試験装置。
【請求項７】
試験対象の移動端末（２）と信号を送受信することで基地局を擬似する複数の擬似基地局部（１０、１１）と、
前記擬似基地局部を機能させるための複数の種別の基地局情報を格納する基地局情報格納部（１３）と、を備えた移動端末試験装置を用い、
前記基地局情報を前記擬似基地局部に設定する基地局情報設定ステップと、
前記擬似基地局部の送信状態を設定する送信状態設定ステップと、
前記移動端末の試験の各工程に応じて前記基地局情報設定ステップおよび前記送信状態設定ステップを実行する試験工程実行ステップと、を有し、
前記基地局情報格納部に格納される基地局情報の種別の数は、前記擬似基地局部の数より多いことを特徴とする移動端末試験方法。
【発明の詳細な説明】
【技術分野】
【０００１】
本発明は、同一または異なる通信規格で基地局と通信することができる移動端末を被試験端末として試験する移動端末試験装置および移動端末試験方法に関する。
【背景技術】
【０００２】
従来の移動端末試験装置としては、被試験端末との間で各種信号の送受信を行うための少なくとも１つの擬似基地局モジュールと、被試験端末および擬似基地局を示すアイコンを表示する表示器と、この表示器に表示された被試験端末と擬似基地局とのアイコン間の表示画面上における距離を変化させる操作部と、被試験端末と擬似基地局とのアイコン間の表示画面上における距離の変化に応じて、擬似基地局モジュールから試験端末に出力する送信信号の出力レベルを変化させる出力レベル制御部とを備え、表示された被試験端末と擬似基地局とのアイコンの位置関係を変化させることにより、擬似基地局モジュールから被試験端末に出力する送信信号の出力レベルを変化させるものが知られている（例えば、特許文献１参照）。
【先行技術文献】
【特許文献】
【０００３】
【特許文献１】特開２００６−１０１１４１号公報
【発明の概要】
【発明が解決しようとする課題】
【０００４】
しかしながら、従来の移動端末試験装置は、被試験端末を試験するための擬似基地局の数に応じた擬似基地局モジュールを要するとともに、擬似基地局モジュールを十分に収容するためのインタフェースを設ける必要があるため、製造コストがかかってしまうといった課題があった。
【０００５】
本発明は、従来の課題を解決するためになされたもので、従来のものより製造コストを低減することができる移動端末試験装置を提供することを目的とする。
【課題を解決するための手段】
【０００６】
本発明の移動端末試験装置は、試験対象の移動端末（２）と信号を送受信することで基地局を擬似する複数の擬似基地局部（１０、１１）と、前記擬似基地局部を機能させるための複数の種別の基地局情報を格納する基地局情報格納部（１３）と、前記基地局情報を前記擬似基地局部に設定する基地局情報設定部（１４）と、前記擬似基地局部の送信状態を設定する送信状態設定部（１５）と、前記基地局情報設定部および前記送信状態設定部を制御することで前記移動端末の試験の各工程を実行する試験工程実行部（１７）と、を備え、前記基地局情報格納部に格納される基地局情報の種別の数は、前記擬似基地局部の数より多いことを特徴とする構成を有している。
【０００７】
この構成により、本発明の移動端末試験装置は、試験の各工程で擬似基地局部に基地局情報と送信状態とを必要に応じて設定することにより、１つの擬似基地局部に複数の基地局を擬似させることができるため、従来のものより製造コストを低減することができる。
【０００８】
なお、本発明の移動端末試験装置は、前記移動端末の試験の工程を表す試験工程情報を試験項目毎に格納する試験工程情報格納部（１６）を備え、前記試験工程実行部は、前記試験工程情報に基づいて、前記基地局情報設定部および前記送信状態設定部を制御するようにしてもよい。
【０００９】
この構成により、本発明の移動端末試験装置は、試験工程情報が予め用意されているため、移動端末に基地局を選択させる試験等を行うときに、基地局情報および送信状態をユーザに設定させる手間を省くことができる。
【００１０】
ここで、前記基地局情報には、通信規格を表す情報が含まれる。前記通信規格は、ＧＳＭ（Global System for Mobile Communications）規格、ＧＳＭ／ＧＰＲＳ（Global System for Mobile Communications / General Packet Radio Service）規格、Ｗ−ＣＤＭＡ（Wideband Code Division Multiple Access）規格、ＣＤＭＡ２０００規格、ＴＤ−ＳＣＤＭＡ（Time Division-Synchronous Code Division Multiple Access）規格、ＬＴＥ（Long Term Evolution）規格、ＷｉＭＡＸ（Worldwide Interoperability for Microwave Access）規格およびＷｉ−Ｆｉ（Wireless Fidelity）規格を含む何れかの無線通信規格を表す。
【００１１】
この構成により、本発明の移動端末試験装置は、例えば、同一または異なる通信規格の基地局の通信エリア間を移動端末が移動したときに、通信が継続できるか否かを試験することができる。
【００１２】
前記送信状態設定部は、前記擬似基地局部の送信電力を変化させることで該擬似基地局部の送信状態を設定するようにしてもよい。
【００１３】
この構成により、本発明の移動端末試験装置は、例えば、複数の基地局の通信エリア間を移動端末が移動したときに、通信が継続できるか否かを試験することができる。
【００１４】
前記送信状態設定部は、前記擬似基地局部を規制状態にするか否かを変化させることで該擬似基地局部の送信状態を設定するようにしてもよい。
【００１５】
この構成により、本発明の移動端末試験装置は、移動端末に位置登録されている基地局が規制状態になったときに、この移動端末が他の基地局に位置登録できるか否かを試験することができる。
【００１６】
また、本発明の移動端末試験方法は、試験対象の移動端末（２）と信号を送受信することで基地局を擬似する複数の擬似基地局部（１０、１１）と、前記擬似基地局部を機能させるための複数の種別の基地局情報を格納する基地局情報格納部（１３）と、を備えた移動端末試験装置を用い、前記基地局情報を前記擬似基地局部に設定する基地局情報設定ステップと、前記擬似基地局部の送信状態を設定する送信状態設定ステップと、前記移動端末の試験の各工程に応じて前記基地局情報設定ステップおよび前記送信状態設定ステップを実行する試験工程実行ステップと、を有し、前記基地局情報格納部に格納される基地局情報の種別の数は、前記擬似基地局部の数より多い。
【００１７】
したがって、本発明の移動端末試験方法は、試験の各工程で擬似基地局部に基地局情報と送信状態とを必要に応じて設定することにより、１つの擬似基地局部に複数の基地局を擬似させることができるため、従来の移動端末試験方法より移動端末試験装置の製造コストを低減することができる。
【発明の効果】
【００１８】
本発明は、従来のものより製造コストを低減することができる移動端末試験装置を提供することができる。
【図面の簡単な説明】
【００１９】
【図１】本発明の一実施の形態の移動端末試験装置のブロック図である。
【図２】本発明の一実施の形態の移動端末試験装置のＨａｎｄｏｖｅｒ試験動作の例を示すフローチャートである。
【図３】本発明の一実施の形態の移動端末試験装置を構成する出力部の出力例を示す概念図である。
【図４】本発明の一実施の形態の移動端末試験装置のＣｅｌｌ  Ｒｅｓｅｌｅｃｔｉｏｎ試験動作の例を示すフローチャートである。
【発明を実施するための形態】
【００２０】
以下、本発明の一実施の形態について、図面を参照して説明する。
【００２１】
図１に示すように、本発明の一実施の形態の移動端末試験装置１は、試験対象の移動端末２と信号を送受信することで基地局を擬似する擬似基地局部１０、１１と、擬似基地局部１０、１１によって移動端末２とそれぞれ送受信される信号を結合および分配する結合分配器１２と、擬似基地局部１０、１１を機能させるための複数の種別の基地局情報を格納する基地局情報格納部１３と、基地局情報を擬似基地局部１０、１１に設定する基地局情報設定部１４と、擬似基地局部１０、１１の送信状態を設定する送信状態設定部１５と、移動端末２の試験の各工程を表す試験工程情報を試験項目毎に格納する試験工程情報格納部１６と、基地局情報設定部１４および送信状態設定部１５を制御することで移動端末２の試験の各工程を実行する試験工程実行部１７と、移動端末２の試験項目を試験工程実行部１７に指定するための操作部１８と、移動端末２の試験結果を判定するための判定条件を表す判定条件情報を格納する判定条件情報格納部１９と、移動端末２の試験結果を判定する判定部２０と、判定部２０によって判定された試験結果を出力する出力部２１とを備えている。
【００２２】
なお、図１において、移動端末試験装置１が２つの擬似基地局部１０、１１を備えているが、本発明に係る移動端末試験装置が備える擬似基地局部の数を限定するものではない。
【００２３】
また、移動端末試験装置１と移動端末２とは、同軸ケーブル等を介して有線で信号を送受信するようにしてもよく、移動端末試験装置１にアンテナを設け、無線で信号を送受信するようにしてもよい。
【００２４】
基地局情報格納部１３は、ハードディスク装置やフラッシュメモリ等の不揮発性の記憶媒体によって構成され、基地局情報格納部１３には、基地局情報が予め格納されている。ここで、基地局情報には、通信規格、当該通信規格のサポート可能なバージョン、国コード、事業者コード、上り／下りの通信周波数、通信レート、通信エリアおよびスクランブルコード等を表すパラメータが含まれる。
【００２５】
また、通信規格は、ＧＳＭ規格、ＧＳＭ／ＧＰＲＳ規格、Ｗ−ＣＤＭＡ規格、ＣＤＭＡ２０００規格、ＴＤ−ＳＣＤＭＡ規格、ＬＴＥ規格、ＷｉＭＡＸ規格およびＷｉ−Ｆｉ規格等を含む何れかの無線通信規格を表す。
【００２６】
また、基地局情報格納部１３に格納される基地局情報の種別の数は、擬似基地局部１０、１１の数より多い。すなわち、本実施の形態においては、基地局情報格納部１３には、３種別以上の基地局情報が格納されている。
【００２７】
ここで、種別とは、擬似基地局部１０、１１にそれぞれ設定される基地局情報の単位を表す。すなわち、１つの擬似基地局部が動作するために必要な情報が、１種別の基地局情報となる。
【００２８】
試験工程情報格納部１６は、基地局情報格納部１３と同様に不揮発性の記憶媒体によって構成され、基地局情報格納部１３には、試験工程情報が試験項目毎に予め格納されている。
【００２９】
基地局情報設定部１４は、試験工程実行部１７からの指示に基づいて、基地局情報格納部１３に格納された基地局情報を擬似基地局部１０、１１にそれぞれ設定するようになっている。このように、基地局情報設定部１４によって基地局情報が更新された擬似基地局部１０、１１は、設定前の基地局と異なる基地局を擬似する。
【００３０】
試験工程情報格納部１６は、基地局情報格納部１３と同様に不揮発性の記憶媒体によって構成され、基地局情報格納部１３には、試験工程情報が試験項目毎に予め格納されている。
【００３１】
ここで、試験項目としては、例えば、Ｃｅｌｌ  Ｓｅｌｅｃｔｉｏｎ試験、Ｃｅｌｌ  Ｒｅｓｅｌｅｃｔｉｏｎ試験およびＨａｎｄｏｖｅｒ試験等がある。Ｃｅｌｌ  Ｓｅｌｅｃｔｉｏｎ試験は、移動端末２が位置登録、すなわち、ネットワークを利用可能にするために最適なセル、すなわち、最適な基地局を選択しているかどうかを確認するための試験である。
【００３２】
例えば、陸上で国々が接しているヨーロッパの国境付近においては、移動端末２が複数の国の基地局から電波を受信する環境にあることがある。Ｃｅｌｌ  Ｓｅｌｅｃｔｉｏｎ試験は、このような環境で移動端末２の電源を投入したときに、予め定められた国の基地局のみに対して位置登録を行うように設定されている場合、移動端末２が予め定められた国の基地局のみに対して位置登録を行うか否かを確認する。また、Ｃｅｌｌ  Ｓｅｌｅｃｔｉｏｎ試験は、優先的に選択する事業者や国を移動端末２が選択できるか否かを試験する。
【００３３】
また、Ｃｅｌｌ  Ｓｅｌｅｃｔｉｏｎ試験は、移動端末２の電源を投入したときのみならず、移動端末２がトンネル内や電波の届かない建物内から、電波の届く屋外に移動した状況を擬似する。
【００３４】
Ｃｅｌｌ  Ｒｅｓｅｌｅｃｔｉｏｎ試験は、位置登録済みの移動端末２が音声通信やパケット通信等のサービスを使用していない場合において、基地局の規制状態および受信信号のレベルの変化等の無線環境の変化により他の最適セルを検知したときに、この最適セルを選択することを確認するための試験である。
【００３５】
ここで、基地局は、位置登録している移動端末の収容数が予め定められた規制数を超えた場合、当該基地局に障害が発生した場合、および、当該基地局がメンテナンス等により使用できなくなる場合に規制状態となる。
【００３６】
規制状態を表す情報は、基地局が規制状態になったときに、位置登録済みの移動端末に基地局から任意のタイミングで送信される再読込要求（Ｐａｇｉｎｇ）信号に応じて移動端末が基地局から取得する報知情報、および、基地局から定期的にブロードキャストされる報知情報に含まれる。
【００３７】
Ｈａｎｄｏｖｅｒ試験は、移動端末２が音声通信やパケット通信等のサービスを使用している場合において、受信信号のレベルの変化等の無線環境の変化により他の最適セルを検知したときに、移動端末２に対して、この最適セルが選択されることを確認するための試験である。
【００３８】
なお、一般的には、Ｈａｎｄｏｖｅｒは、一定時間の瞬断が発生するＨａｒｄ  Ｈａｎｄｏｖｅｒのことをいうが、規格によっては、一時的に移動端末２が２つの基地局と通信状態となるＳｏｆｔ  Ｈａｎｄｏｖｅｒのことをいう。
【００３９】
操作部１８は、キーボード装置やポインティングデバイス等の入力装置によって構成され、移動端末２の試験項目、または、これら試験項目の組み合わせが入力されるようになっている。操作部１８は、入力された各試験項目に対応して試験工程情報格納部１６に格納された試験工程情報を試験工程実行部１７に実行させるようになっている。
【００４０】
試験工程実行部１７は、試験工程情報が表す試験工程に基づいて、基地局情報設定部１４および送信状態設定部１５を制御することにより、操作部１８から指定された試験を実行するようになっている。
【００４１】
このような試験においては、通信データのエラーレートや音声品質が一定基準以上であること、ビデオ電話の品質が一定基準以上であること、継続してパケット通信を行っているアプリケーションが正常動作できること、並びに、ＳＭＳ（Short Message Service）、ＥＭＳ（Enhanced Message Service）およびＭＭＳ（Multimedia Messaging Service）等のメッセージングサービスが正常に行われること等の判定条件を確認することにより、結果が判定される。
【００４２】
このような判定条件を表す情報は、基地局情報格納部１３と同様に不揮発性の記憶媒体によって構成された判定条件情報格納部１９に予め格納されている。判定部２０は、擬似基地局部１０、１１から得られた移動端末２の応答と、判定条件情報格納部１９に格納された情報が表す判定条件とを比較することにより、移動端末２の試験結果を判定するようになっている。
【００４３】
出力部２１は、表示装置によって構成され、判定部２０によって判定された試験結果を表示するようになっている。
【００４４】
以上のように構成された移動端末試験装置１について図２乃至図４を用いてその動作を説明する。なお、図２に示す移動端末試験装置１のＨａｎｄｏｖｅｒ試験動作は、擬似基地局部１０を１つの基地局（以下、「基地局Ａ」という。）に設定し、擬似基地局部１１を基地局Ａと異なる基地局（以下、「基地局Ｂ」という。）に設定し、基地局Ａから基地局ＢへのＨａｎｄｏｖｅｒ試験を実行し、引き続き、擬似基地局部１０を基地局Ａ、Ｂと異なる基地局（以下、「基地局Ｃ」という。）に設定し、基地局Ｂから基地局ＣへのＨａｎｄｏｖｅｒ試験を実行する試験項目が操作部１８によって指定された場合の例を示している。
【００４５】
ここで、当該試験項目が操作部１８によって指定されると、試験工程実行部１７によって当該試験項目に対応する試験工程情報が試験工程情報格納部１６から取得され、取得された試験工程情報に基づいて試験工程実行部１７が動作する。
【００４６】
まず、基地局Ａの基地局情報を基地局情報格納部１３から取得し、取得した基地局情報を擬似基地局部１０（以下、「ＢＴＳ１」ともいう。）に設定するよう基地局情報設定部１４が試験工程実行部１７によって制御される（ステップＳ１）。
【００４７】
また、基地局Ｂの基地局情報を基地局情報格納部１３から取得し、取得した基地局情報を擬似基地局部１１（以下、「ＢＴＳ２」ともいう。）に設定するよう基地局情報設定部１４が試験工程実行部１７によって制御される（ステップＳ２）。
【００４８】
次に、ＢＴＳ１の送信電力を移動端末２と接続可能な値にするよう送信状態設定部１５が試験工程実行部１７によって制御される（ステップＳ３）。ここで、移動端末２とＢＴＳ１とが接続状態となる。
【００４９】
次に、ＢＴＳ１の送信電力を徐々に下げていくと共に、ＢＴＳ２の送信電力を徐々に上げていくよう送信状態設定部１５が試験工程実行部１７によって制御される（ステップＳ４）。
【００５０】
ここで、判定条件情報格納部１９に格納された判定条件情報が表す判定条件を満たすか否か、より具体的には、移動端末２とＢＴＳ１とが非接続状態となり、移動端末２とＢＴＳ２とが接続状態となるか否かが判定部２０によって判定される（ステップＳ５）。
【００５１】
移動端末２とＢＴＳ１とが非接続状態とならない、または、移動端末２とＢＴＳ２とが接続状態とならない場合には、判定部２０は、基地局Ａから基地局Ｂに渡るＨａｎｄｏｖｅｒ試験が失敗した旨を出力部２１に出力し（ステップＳ６）、移動端末試験装置１のＨａｎｄｏｖｅｒ試験動作は終了する。
【００５２】
一方、移動端末２とＢＴＳ１とが非接続状態となり、移動端末２とＢＴＳ２とが接続状態となった場合には、基地局Ｃの基地局情報を基地局情報格納部１３から取得し、取得した基地局情報をＢＴＳ１に設定するよう基地局情報設定部１４が試験工程実行部１７によって制御される（ステップＳ７）。
【００５３】
次に、ＢＴＳ１の送信電力を徐々に上げていくと共に、ＢＴＳ２の送信電力を徐々に下げていくよう送信状態設定部１５が試験工程実行部１７によって制御される（ステップＳ８）。
【００５４】
ここで、判定条件情報格納部１９に格納された判定条件情報が表す判定条件を満たすか否か、より具体的には、移動端末２とＢＴＳ２とが非接続状態となり、移動端末２とＢＴＳ１とが接続状態となるか否かが判定部２０によって判定される（ステップＳ９）。
【００５５】
移動端末２とＢＴＳ２とが非接続状態とならない、または、移動端末２とＢＴＳ１とが接続状態とならない場合には、判定部２０は、基地局Ｂから基地局Ｃに渡るＨａｎｄｏｖｅｒ試験が失敗した旨を出力部２１に出力し（ステップＳ６）、移動端末試験装置１のＨａｎｄｏｖｅｒ試験動作は終了する。
【００５６】
一方、移動端末２とＢＴＳ２とが非接続状態となり、移動端末２とＢＴＳ１とが接続状態となった場合には、判定部２０は、基地局Ａから基地局Ｂを介して基地局Ｃに渡るＨａｎｄｏｖｅｒ試験が成功した旨を出力部２１に出力し（ステップＳ１０）、移動端末試験装置１のＨａｎｄｏｖｅｒ試験動作は終了する。
【００５７】
このように、操作部１８によって指定された試験項目の各工程が終了すると、例えば、図３に示すように、各工程の結果がログ情報として出力部２１に出力される。
【００５８】
ここで、図３に示すログ情報について説明する。まず、上部に表示されている区分について説明する。「Ｔｉｍｅ  Ｓｔａｍｐ」は、イベントの発生時刻を示している。「Ｄｉｒｅｃｔｉｏｎ」はイベントの発生した部位や、イベントに対応する部位を示している。「Ｍｅｓｓａｇｅ」はイベントの内容を示している。
【００５９】
次に、各Ｍｅｓｓａｇｅの内容について説明する。Ｔｉｍｅ  Ｓｔａｍｐ＝００：０６：５１におけるＭｅｓｓａｇｅの１行目は、Ｗ−ＣＤＭＡ通信方式の基地局からＷ−ＣＤＭＡ通信方式の基地局へ強制的にＨａｎｄｏｖｅｒさせるＨａｎｄｏｖｅｒ試験の開始を示している。そして、２行目以降は、この試験における、ＢＴＳ１およびＢＴＳ２の状態や試験条件を示している。
【００６０】
２行目から５行目は、ＢＴＳ１の設定を示している。「Ｂａｎｄ」は、使用周波数帯情報の設定を示し、その設定値「Ｂａｎｄ  Ｉ」は、複数の周波数帯のうちのＩの周波数帯であることを示している。
【００６１】
「ＤＬ  Ｃｈａｎｎｅｌ」は、ダウンリンクのキャリア周波数を示している。この設定値１０５６３は規格上の定義値であり、対応してキャリア周波数＝２１１２．６ＭＨｚであることを示している。「ＵＬ  Ｃｈａｎｎｅｌ」は、アップリンクのキャリア周波数を示している。この設定値９６１３は規格上の定義値であり、対応してキャリア周波数＝１９２２．６ＭＨｚであることを示している。
【００６２】
「ＰＳＣ」は、Ｐｒｉｍａｒｙ  Ｓｃｒａｍｂｌｉｎｇ  Ｃｏｄｅの略であり、拡散符号の番号を示している。「ＭＣＣ」は、Ｍｏｂｉｌｅ  Ｃｏｕｎｔｒｙ  Ｃｏｄｅの略であり、国を識別するための国コードを示している。なお、この設定値００１は試験用コードを示している。
【００６３】
「ＭＮＣ」は、Ｍｏｂｉｌｅ  Ｎｅｔｗｏｒｋ  Ｃｏｄｅの略であり、事業者を識別するためのコードを示している。「ＬＡＣ」は、Ｌｏｃａｔｉｏｎ  Ａｒｅａ  Ｃｏｄｅの略であり、回線交換方式における位置を示すコードを示している。「ＲＡＣ」は、Ｒｏｕｔｉｎｇ  Ａｒｅａ  Ｃｏｄｅの略であり、パケット交換方式における位置を示すコードを示している。
【００６４】
「ＮＭＯ」は、Ｎｅｔｗｏｒｋ  Ｍｏｄｅ  ｏｆ  Ｏｐｅｒａｔｉｏｎの略であり、ネットワークの動作を指定する情報を示している。「ＰａｃｋｅｔＲａｔｅ」は通信速度を示し、その設定値ＤＬ３８４ｋ／ＵＬ６４ｋは、ダウンリンクの通信速度が３８４ｋｂｐｓ、アップリンクの通信速度が６４ｋｂｐｓであることを示している。「Ｐａｃｋｅｔ  Ｗｉｎｄｏｗ  Ｓｉｚｅ」は、パケットのウィンドウサイズを示している。
【００６５】
６行目から９行目は、ＢＴＳ２の設定を示している。それぞれの設定項目は、ＢＴＳ１と同様であるので、説明を省略する。
【００６６】
１０行目から１１行目は、この試験が、正常系の確認のための試験であるか、異常系の確認のための試験であるかを示している。１１行目の設定値Ｎｏｒｍａｌ  Ｃａｓｅは、正常系の確認のための試験であることを示している。
【００６７】
１２行目から１５行目は、ＢＴＳ１及びＢＴＳ２の送信電力の制御の状態を示している。１３行目は、ＢＴＳ１のダウンリンクの送信電力を、−２０ｄＢｍから−４０ｄＢｍまで、２ｄＢステップで変化させる制御であることを示している。
【００６８】
同様に、１４行目は、ＢＴＳ２のダウンリンクの送信電力を、−４０ｄＢｍから−２０ｄＢｍまで、２ｄＢステップで変化させる制御であることを示している。１５行目は、１３行目と１４行目の制御について、変化のステップを１秒間隔で行うことを示している。
【００６９】
１６行目から１７行目は、隣接セルの測定機能の設定を示している。この機能は、この試験を行う際には不要な機能であり、この設定値ＯＦＦは測定を行わないことを示している。
【００７０】
Ｔｉｍｅ  Ｓｔａｍｐ＝００：０６：５２以降の各行は、ＢＴＳ１のダウンリンクの送信電力を、２ｄＢステップで増加させる制御であることを示している。これは、この試験の開始前の準備段階の制御であり、ＢＴＳ１のダウンリンクの送信電力を−２０ｄＢｍに設定するための制御である。
【００７１】
図４に示す移動端末試験装置１のＣｅｌｌ  Ｒｅｓｅｌｅｃｔｉｏｎ試験動作は、擬似基地局部１０を基地局Ａに設定し、擬似基地局部１１を基地局Ｂに設定し、基地局Ａから基地局ＢへのＣｅｌｌ  Ｒｅｓｅｌｅｃｔｉｏｎ試験を実行し、引き続き、擬似基地局部１０を基地局Ｃに設定し、基地局Ｂから基地局ＣへのＣｅｌｌ  Ｒｅｓｅｌｅｃｔｉｏｎ試験を実行する試験項目が操作部１８によって指定された場合の例を示している。
【００７２】
ここで、当該試験項目が操作部１８によって指定されると、試験工程実行部１７によって当該試験項目に対応する試験工程情報が試験工程情報格納部１６によって取得され、取得された試験工程情報に基づいて試験工程実行部１７が動作する。
【００７３】
まず、基地局Ａの基地局情報を基地局情報格納部１３から取得し、取得した基地局情報をＢＴＳ１に設定するよう基地局情報設定部１４が試験工程実行部１７によって制御される（ステップＳ２１）。
【００７４】
また、基地局Ｂの基地局情報を基地局情報格納部１３から取得し、取得した基地局情報をＢＴＳ２に設定するよう基地局情報設定部１４が試験工程実行部１７によって制御される（ステップＳ２２）。
【００７５】
次に、ＢＴＳ１の送信電力を移動端末２と接続可能な値にするよう送信状態設定部１５が試験工程実行部１７によって制御される（ステップＳ２３）。ここで、移動端末２による位置登録がＢＴＳ１に対して行われる。
【００７６】
次に、ＢＴＳ１を規制状態にするよう送信状態設定部１５が試験工程実行部１７によって制御される（ステップＳ２４）。ここで、判定条件情報格納部１９に格納された判定条件情報が表す判定条件を満たすか否か、より具体的には、移動端末２による位置登録がＢＴＳ２に対して行われるか否かが判定部２０によって判定される（ステップＳ２５）。
【００７７】
移動端末２による位置登録がＢＴＳ２に対して行われない場合には、判定部２０は、基地局Ａから基地局Ｂに移るＣｅｌｌ  Ｒｅｓｅｌｅｃｔｉｏｎ試験が失敗した旨を出力部２１に出力し（ステップＳ２６）、移動端末試験装置１のＣｅｌｌ  Ｒｅｓｅｌｅｃｔｉｏｎ試験動作は終了する。
【００７８】
一方、移動端末２による位置登録がＢＴＳ２に対して行われた場合には、基地局Ｃの基地局情報を基地局情報格納部１３から取得し、取得した基地局情報をＢＴＳ１に設定するよう基地局情報設定部１４が試験工程実行部１７によって制御される（ステップＳ２７）。
【００７９】
次に、ＢＴＳ２を規制状態にするよう送信状態設定部１５が試験工程実行部１７によって制御される（ステップＳ２８）。ここで、判定条件情報格納部１９に格納された判定条件情報が表す判定条件を満たすか否か、より具体的には、移動端末２による位置登録がＢＴＳ１に対して行われたか否かが判定部２０によって判定される（ステップＳ２９）。
【００８０】
移動端末２による位置登録がＢＴＳ１に対して行われない場合には、判定部２０は、基地局Ｂから基地局Ｃに移るＣｅｌｌ  Ｒｅｓｅｌｅｃｔｉｏｎ試験が失敗した旨を出力部２１に出力し（ステップＳ２６）、移動端末試験装置１のＣｅｌｌ  Ｒｅｓｅｌｅｃｔｉｏｎ試験動作は終了する。
【００８１】
一方、移動端末２による位置登録がＢＴＳ１に対して行われた場合には、判定部２０は、基地局Ａから基地局Ｂを介して基地局Ｃに渡るＣｅｌｌ  Ｒｅｓｅｌｅｃｔｉｏｎ試験が成功した旨を出力部２１に出力し（ステップＳ３０）、移動端末試験装置１のＣｅｌｌ  Ｒｅｓｅｌｅｃｔｉｏｎ試験動作は終了する。
【００８２】
このように、操作部１８によって指定された試験項目の各工程が終了すると、各工程の結果がログ情報として出力部２１に出力される。
【００８３】
なお、本発明において、ステップＳ２４において、送信状態設定部１５が、ＢＴＳ１を規制状態にせずに、ＢＴＳ２の送信電力を徐々に上げていくと共に、ＢＴＳ１の送信電力を徐々に下げていくように試験工程実行部１７を制御するようにしてもよい。
【００８４】
同様に、ステップＳ２８において、送信状態設定部１５が、ＢＴＳ２を規制状態にするのに代えて、ＢＴＳ１の送信電力を徐々に上げていくと共に、ＢＴＳ２の送信電力を徐々に下げていくように試験工程実行部１７を制御するようにしてもよい。
【００８５】
また、本発明においては、ステップＳ２３において、送信状態設定部１５がＢＴＳ２の送信電力を移動端末２と接続可能、かつ、ＢＴＳ１の送信電力より低い値にするよう試験工程実行部１７を制御し、ステップＳ２４において、送信状態設定部１５が、ＢＴＳ１を規制状態にせずに、ＢＴＳ２の送信電力を維持しつつ、ＢＴＳ１の送信電力を徐々に下げていくように試験工程実行部１７を制御するようにしてもよい。
【００８６】
また、ステップＳ２４において、送信状態設定部１５が、ＢＴＳ１を規制状態にせずに、ＢＴＳ１の送信電力を維持しつつ、ＢＴＳ２の送信電力を徐々に上げていくように試験工程実行部１７を制御するようにしてもよい。
【００８７】
同様に、ステップＳ２８において、送信状態設定部１５が、ＢＴＳ２を規制状態にせずに、ＢＴＳ１の送信電力を維持しつつ、ＢＴＳ２の送信電力を徐々に下げていくように試験工程実行部１７を制御するようにしてもよい。
【００８８】
また、ステップＳ２８において、送信状態設定部１５が、ＢＴＳ２を規制状態にせずに、ＢＴＳ２の送信電力を維持しつつ、ＢＴＳ１の送信電力を徐々に上げていくように試験工程実行部１７を制御するようにしてもよい。
【００８９】
以上に説明したように、本発明の一実施の形態の移動端末試験装置１は、試験の各工程で擬似基地局部１０、１１に基地局情報と送信状態とを必要に応じて設定することにより、各擬似基地局部１０、１１に複数の基地局を擬似させることができるため、従来のものより製造コストを低減することができる。
【００９０】
なお、本実施の形態において、基地局情報、試験工程情報および判定条件情報は、基地局情報格納部１３、試験工程情報格納部１６および判定条件情報格納部１９に予め格納されているものとして説明したが、本発明において、移動端末試験装置１は、操作部１８を介して各情報を各格納部に格納できるようにしてもよく、各格納部に格納された各情報を編集できるようにしてもよい。
【００９１】
また、本発明において、移動端末試験装置１は、不図示のインタフェースモジュールを介してコンピュータ等の外部装置から各情報を各格納部に格納できるようにしてもよく、不図示のスロットを介してメモリカード等の記憶媒体から各情報を各格納部に格納できるようにしてもよい。
【００９２】
また、本実施の形態において、出力部２１は、表示装置によって構成されているものとして説明したが、本発明において、出力部２１は、ハードディスク装置やフラッシュメモリ等の記憶媒体、コンピュータやプリンタ装置等の外部装置に接続するためのインタフェースモジュール、および、メモリカード等の着脱可能な記憶媒体が装着されるスロット等によって構成されてもよい。
【００９３】
また、本実施の形態において、基地局Ａ、Ｂ、Ｃの通信エリアを移動端末２が順次通過する状況を擬似するＨａｎｄｏｖｅｒ試験を行ったときの移動端末試験装置１のＨａｎｄｏｖｅｒ試験動作について図２を参照して説明したが、例えば、基地局Ｄ、Ｅ、Ｆ、Ｇのように多数の基地局情報を基地局情報格納部１３に格納することにより、移動端末試験装置１は、さらに多数の基地局の通信エリアを移動端末２が所望のＨａｎｄｏｖｅｒ動作をしながら通過できるか否かを試験することができる。
【００９４】
さらに、基地局Ａ、Ｂ、Ｃ、Ａ、Ｂ、Ｃ、Ａ、Ｂ、Ｃといったように、移動端末２が各基地局の通信エリアを繰り返し通過する状況を擬似する試験項目を試験工程情報格納部１６に格納し、試験工程実行部１７に実行させることにより、移動端末試験装置１は、Ｈａｎｄｏｖｅｒ動作の繰り返しに対する移動端末２の安定性を試験することができる。
【００９５】
また、本実施の形態において、基地局Ａ、Ｂ、Ｃの通信エリアを移動端末２が順次通過する状況を擬似するＣｅｌｌ  Ｒｅｓｅｌｅｃｔｉｏｎ試験を行ったときの移動端末試験装置１のＨａｎｄｏｖｅｒ試験動作について図４を参照して説明したが、例えば、基地局Ｄ、Ｅ、Ｆ、Ｇのように多数の基地局情報を基地局情報格納部１３に格納することにより、移動端末試験装置１は、さらに多数の基地局の通信エリアを移動端末２が所望のＣｅｌｌ  Ｒｅｓｅｌｅｃｔｉｏｎ動作をしながら通過できるか否かを試験することができる。
【００９６】
さらに、基地局Ａ、Ｂ、Ｃ、Ａ、Ｂ、Ｃ、Ａ、Ｂ、Ｃといったように、移動端末２が各基地局の通信エリアを繰り返し通過する状況を擬似する試験項目を試験工程情報格納部１６に格納し、試験工程実行部１７に実行させることにより、移動端末試験装置１は、Ｃｅｌｌ  Ｒｅｓｅｌｅｃｔｉｏｎ動作の繰り返しに対する移動端末２の安定性を試験することができる。
【符号の説明】
【００９７】
１  移動端末試験装置
２  移動端末
１０、１１  擬似基地局部
１２  結合分配器
１３  基地局情報格納部
１４  基地局情報設定部
１５  送信状態設定部
１６  試験工程情報格納部
１７  試験工程実行部
１８  操作部
１９  判定条件情報格納部
２０  判定部
２１  出力部
【図１】
2010136341.tif 000003
【図２】
2010136341.tif 000004
【図３】
2010136341.tif 000005
【図４】
2010136341.tif 000006